(57)【要約】【課題】攪拌用の空気の吐出を長時間停止しても攪拌効果を低下させることのないシート材の防着剤付着装置を提供する。【解決手段】下端から防着剤タンク１０内に空気を吐出することにより防着剤の水溶液Ｂを攪拌する複数の空気吐出管３０を備え、各空気吐出管３０の空気を防着剤タンク１０の底面に向かって吐出するようにしたので、防着剤の水溶液Ｂを防着剤タンク１０の底面側まで満遍なく攪拌することができる。この場合、各空気吐出管３０の下端を防着剤タンク１０の底面に向かって開口するようにしたので、空気の供給を長時間停止しても、沈殿した防着剤が各空気吐出管３０内に侵入することがなく、沈殿した防着剤による各空気吐出管３０の目詰まりを確実に防止することができる。【選択図】図１
2010058408.tif 000002
【特許請求の範囲】
【請求項１】
上面を開口した防着剤タンクと、シート材を防着剤タンク内の防着剤の水溶液に漬けながら搬送するコンベアとを備え、防着剤タンク内に空気を吐出して防着剤の水溶液を攪拌するようにしたシート材の防着剤付着装置において、
下端が防着剤タンク内の底面に向かって開口するように設けられ、下端から防着剤タンク内の底面に向かって空気を吐出する複数の空気吐出管を備えた
ことを特徴とするシート材の防着剤付着装置。
【請求項２】
前記各空気吐出管を防着剤タンク内の周縁側に配置した
ことを特徴とする請求項１記載のシート材の防着剤付着装置。
【請求項３】
前記各空気吐出管の下端側を防着剤タンク内の中央側に向かって傾斜するように形成した
ことを特徴とする請求項２記載のシート材の防着剤付着装置。
【請求項４】
前記各空気吐出管の空気吐出量をそれぞれ調整可能なバルブを備えた
ことを特徴とする請求項１、２または３記載のシート材の防着剤付着装置。
【発明の詳細な説明】
【技術分野】
【０００１】
本発明は、例えばタイヤの製造工程において、混練工程から搬送されたゴムのシート材に防着剤を付着させるために用いられるシート材の防着剤付着装置に関するものである。
【背景技術】
【０００２】
従来、混練工程から搬送されたゴムのシート材に防着剤を付着させる装置としては、図３に示すように、上面を開口した防着剤タンク１と、シート材Ａを防着剤タンク１内の防着剤の水溶液Ｂに漬けながら搬送するコンベア２とを備えたものが知られている（例えば、特許文献１参照。）。
【０００３】
また、前記防着剤付着装置においては、水溶液Ｂの防着剤が沈殿しやすいため、複数の空気吐出孔３ａを有する空気吐出管３を防着剤タンク２内の底面の複数箇所に設置し、各空気吐出管３に接続したホース４によって各空気吐出管３に空気を供給することにより、各空気吐出管３から空気を吐出して防着剤の水溶液を攪拌するようにしている。
【特許文献１】特公平２−４１４０２号公報
【発明の開示】
【発明が解決しようとする課題】
【０００４】
しかしながら、従来の防着剤付着装置では、各空気吐出管３を防着剤タンク２内の底に横向きに配置しているため、例えば工場の休業時やメンテナンス時に空気の供給を長時間停止すると、沈殿した防着剤が空気吐出管３の空気吐出孔３ａ内に侵入し、空気吐出孔３ａを目詰まりさせるという問題点があった。このため、空気吐出孔３ａの目詰まりにより攪拌効果が低下して防着剤の沈殿量が増加し、防着剤タンクの底に堆積した防着剤の固形分の除去作業に多大な労力を要していた。また、空気吐出管３が目詰まりした状態で攪拌効果を高めるために空気の供給量を増加させると、気泡が増大して水溶液Ｂが防着剤タンク２から吹きこぼれるという問題点があった。
【０００５】
本発明は前記問題点に鑑みてなされたものであり、その目的とするところは、攪拌用の空気の吐出を長時間停止しても攪拌効果を低下させることのないシート材の防着剤付着装置を提供することにある。
【課題を解決するための手段】
【０００６】
本発明は前記目的を達成するために、上面を開口した防着剤タンクと、シート材を防着剤タンク内の防着剤の水溶液に漬けながら搬送するコンベアとを備え、防着剤タンク内に空気を吐出して防着剤の水溶液を攪拌するようにしたシート材の防着剤付着装置において、下端が防着剤タンク内の底面に向かって開口するように設けられ、下端から防着剤タンク内の底面に向かって空気を吐出する複数の空気吐出管を備えている。
【０００７】
これにより、各空気吐出管の空気が防着剤タンクの底面に向かって吐出することから、防着剤の水溶液が防着剤タンクの底面側まで満遍なく攪拌される。その際、各空気吐出管の下端が防着剤タンクの底面に向かって開口していることから、空気の供給を長時間停止しても、沈殿した防着剤が各空気吐出管内に侵入することがない。
【発明の効果】
【０００８】
本発明によれば、防着剤の水溶液を防着剤タンクの底面側まで満遍なく攪拌することができるので、防着剤の沈殿を効果的に防止することができる。また、空気の供給を長時間停止しても、沈殿した防着剤が各空気吐出管内に侵入することがないので、沈殿した防着剤による空気吐出管の目詰まりを確実に防止することができる。これにより、長期的な使用においても攪拌効果が低下することがないので、防着剤タンクの底に堆積した防着剤の固形分の除去作業を大幅に軽減することができる。
【発明を実施するための最良の形態】
【０００９】
図１及び図２は本発明の一実施形態を示すもので、図１は防着剤付着装置の側面断面図、図２はその正面断面図である。
【００１０】
この防着剤付着装置は、上面を開口した防着剤タンク１０と、シート材Ａを防着剤タンク１０内の防着剤の水溶液Ｂに漬けながら搬送するコンベア２０と、防着剤タンク１０内に空気を吐出して防着剤の水溶液Ｂを攪拌する複数の空気吐出管３０とを備えている。
【００１１】
防着剤タンク１０は防着剤の水溶液Ｂを貯溜しており、水溶液Ｂは粉末の防着剤を水に溶かしたものである。
【００１２】
コンベア２０は、複数のローラ２１と、各ローラ２１に巻き掛けられた上下一対の網目状のベルト２２とからなり、シート材Ａを各ベルト２２の間に挟んで搬送するようになっている。
【００１３】
各空気吐出管３０は防着剤タンク１０内を上下方向に延びる鋼管からなり、防着剤タンク１０内の周縁側に両側面に沿って互いに前後方向に間隔をおいて配置されている。各空気吐出管３０の上端は防着剤タンク１０の上方を前後方向に延びる空気供給管３１にそれぞれ接続され、その下端は防着剤タンク１０の底面のやや上方に位置している。各空気吐出管３０の下端は防着剤タンク１０の底面に向かって開口し、防着剤タンク１０の底面に向かって空気を吐出するようになっている。この場合、各空気吐出管３０の下端側は防着剤タンク１０の中央側に向かって所定角度θ（例えば４５゜）だけ傾斜をなすように形成されている。また、各空気吐出管３０の上端側にはそれぞれ空気吐出管３０の空気吐出量を調整可能なバルブ３２が設けられている。
【００１４】
以上のように構成された防着剤付着装置においては、混練工程から搬送されたゴムのシート材Ａがコンベア２０によって防着剤タンク１０内の防着剤の水溶液Ｂに漬かるように搬送され、シート材Ａの表面に防着剤が付着される。また、空気供給管３１から各空気吐出管３０に空気が供給されるとともに、各空気吐出管３０の下端から防着剤タンク１０内に空気が吐出され、防着剤タンク１０内の水溶液Ｂが攪拌される。その際、各空気吐出管３０の空気が防着剤タンク１０の底面に向かって吐出されることから、防着剤の水溶液Ｂが防着剤タンク１０の底面側まで満遍なく攪拌される。また、各空気吐出管３０の下端は防着剤タンク１０の底面に向かって開口しているため、空気の供給を長時間停止しても、沈殿した防着剤が各空気吐出管３０内に侵入することがない。
【００１５】
このように、本実施形態の防着剤付着装置によれば、下端から防着剤タンク１０内に空気を吐出することにより防着剤の水溶液Ｂを攪拌する複数の空気吐出管３０を備え、各空気吐出管３０の空気を防着剤タンク１０の底面に向かって吐出するようにしたので、防着剤の水溶液Ｂを防着剤タンク１０の底面側まで満遍なく攪拌することができ、防着剤の沈殿を効果的に防止することができる。この場合、各空気吐出管３０の下端を防着剤タンク１０の底面に向かって開口するようにしたので、空気の供給を長時間停止しても、沈殿した防着剤が各空気吐出管３０内に侵入することがなく、沈殿した防着剤による各空気吐出管３０の目詰まりを確実に防止することができる。これにより、長期的な使用においても攪拌効果が低下することがないので、防着剤タンク１０の底に堆積した防着剤の固形分の除去作業を大幅に軽減することができる。
【００１６】
また、各空気吐出管３０を防着剤タンク１０内の周縁側に配置したので、防着剤が沈殿しやすい防着剤タンク１０の周縁部も積極的に攪拌することができ、防着剤の沈殿防止に極めて効果的である。
【００１７】
この場合、各空気吐出管３０の下端側を防着剤タンク１０内の中央側に向かって傾斜するように形成したので、各空気吐出管３０の空気を防着剤タンク１０内の周縁側から中央側に向かって吐出させることができ、防着剤タンク１０の全体の攪拌効果をより高めることができる。
【００１８】
また、各空気吐出管３０にそれぞれ空気吐出量を調整可能なバルブ３２を設けたので、各空気吐出管３０の空気吐出量が均一になるように調整したり、或いは防着剤が沈殿しやすい特定の箇所に積極的に空気を吐出させるようにするなど、使用状況に応じた的確な攪拌を行うことができる。
【図面の簡単な説明】
【００１９】
【図１】本発明の一実施形態を示す防着剤付着装置の側面断面図
【図２】防着剤付着装置の正面断面図
【図３】従来例を示す防着剤付着装置の側面断面図
【符号の説明】
【００２０】
１０…防着剤タンク、２０…コンベア、３０…空気吐出管、３２…バルブ、Ａ…シート材、Ｂ…水溶液。
【図１】
2010058408.tif 000003
【図２】
2010058408.tif 000004
【図３】
2010058408.tif 000005